(57)【要約】機械室がないエレベータ２８のための屋上用ユニットは、機械部品４６を覆う選択的に取り外し可能なカバー３８を含む。一例では、取り外し可能なカバーは、カバー全体を取り外すことなく、屋上に対し動かすことができる。
2006517501.tif 000002
【特許請求の範囲】
【請求項１】
建物の異なる階床間で荷重を運ぶように適合された籠；
前記建物の屋根面に固定されており、前記籠が要求された通りに移動するために、少なくとも１本のベルトを移動させる駆動綱車と、前記駆動綱車を動かすモータとを備えた機械組立体；そして、
前記機械組立体を覆って取外し可能に固定された、前記機械組立体を覆うためのカバーを備えたことを特徴とするエレベータシステム。
【請求項２】
前記請求項１に記載したシステムは、さらに、前記機械組立体を支持するための前記屋根面に固定された支持ベースを含んでおり、前記カバーは、前記支持ベースから選択的に取外し可能であることを特徴とするエレベータシステム。
【請求項３】
前記請求項１に記載したシステムは、さらに、前記カバーの下方に支持された前記モータを制御する電子制御部を備えていることを特徴とするエレベータシステム。
【請求項４】
前記請求項１に記載したシステムにおいて、前記カバーは、前記カバーを貫通するアクセス用開口部と、前記開口部を選択的に閉止するカバー部を備えていることを特徴とするエレベータシステム。
【請求項５】
前記請求項１に記載したシステムにおいて、前記カバーは、前記機械組立体の少なくとも幾つかに接近することができるように、前記カバーの他の部分に対して相対的に移動可能な部分を有していることを特徴とするエレベータシステム。
【請求項６】
前記請求項１に記載したシステムにおいて、前記カバーは、頂上面と、前記頂上面の端から離れて延びた、１メートル未満の複数の側壁を有しており、もって、前記屋根面からの前記カバーの高さが、前記カバーが所定の場所に固定されたときに１メートル未満になることを特徴とするエレベータシステム。
【請求項７】
前記請求項１に記載したシステムは、さらに、前記機械組立体と関連して、前記カバーによって覆われた前記空間の内部の温度を制御するための制御装置を有していることを特徴とするエレベータシステム。
【請求項８】
前記請求項２に記載したシステムにおいて、前記支持ベースは、第１の略平面状の表面および該表面から離れて延びた複数の側部を有しており、そして、前記カバーは、前記カバーが前記支持ベースに固定された時にその側部に対向して受容される、対応する複数の側壁を備えていることを特徴とするエレベータシステム。
【請求項９】
前記請求項８に記載したシステムにおいて、前記側部は、前記カバーが前記支持ベースに固定されたとき、前記側壁に対して外側になることを特徴とするエレベータシステム。
【請求項１０】
エレベータシステムの機械部品を、機械室を必要とすることなく、建物の屋根面の頂上に収容する組立体であって：
前記屋根面に固定されるように適合され、前記機械部品の少なくとも幾つかを支持するための支持ベースと；そして、
前記ベースの上に支持された機械部品を覆うように、前記支持ベースに選択的に固定されるカバーと
を備えていることを特徴とする組立体。
【請求項１１】
前記請求項１０に記載した組立体であって、前記カバーは、当該カバーを貫通するアクセス用開口部と、前記アクセス用開口部を選択的に閉止するカバー部とを備えていることを特徴とする組立体。
【請求項１２】
前記請求項１０に記載した組立体であって、前記カバーは、頂上面と、前記頂上面の端部から離れて１メートル未満だけ延びた複数の側壁とを備えており、もって、前記カバーが前記支持ベースに固定されたときに、前記頂上面からの前記カバーの高さが１メートル未満となることを特徴とする組立体。
【請求項１３】
前記請求項１０に記載した組立体は、さらに、前記カバーによって覆われた空間内部の温度を制御するため、前記支持ベースと関連した温度制御装置を備えていることを特徴とする組立体。
【請求項１４】
前記請求項１０に記載した組立体において、前記支持ベースは、略平面状の第１の表面および該表面から離れて延びた複数の側部を有しており、そして、前記カバーは、前記カバーが前記支持ベースに固定されたときに前記側部に対向して受容される、対応する複数の側壁を備えていることを特徴とする組立体。
【請求項１５】
前記請求項１４に記載した組立体において、前記側部は、前記カバーが前記支持ベースに固定されたときに、前記側壁に対して外側となることを特徴とする組立体。
【請求項１６】
エレベータシステムの機械部品を、機械室を必要とすることなく、建物の屋根面の頂上に収容する組立体であって：
前記屋根面に固定されるように適合され、前記機械部品の少なくとも幾つかを支持するための支持ベースと；そして、
前記ベースの上に支持された機械部品を覆うように、前記支持ベースに固定され、少なくともその一部が選択的に取外し可能であるカバーと
を備えていることを特徴とする組立体。
【請求項１７】
前記請求項１６に記載した組立体において、前記カバーは、頂上面と、前記頂上面の端部から離れて１メートル未満だけ延びた複数の側壁とを備えており、もって、前記カバーが前記支持ベースに固定されたときに、前記頂上面からの前記カバーの高さが１メートル未満となることを特徴とする組立体。
【請求項１８】
前記請求項１６に記載した組立体において、前記カバー全体が取外し可能であることを特徴とする組立体。
【発明の詳細な説明】
【技術分野】
【０００１】
本発明は、一般的に、機械室の要らないエレベータシステムに関する。特に、本発明は、エレベータシステムを要求されるように運転するために使用される部品を収容するための、屋上に据付けるユニットに関するものである。
【背景技術】
【０００２】
エレベータシステムは、一般的に、昇降路の内部で移動する籠を有している。ほとんどのシステムでは、前記籠と連動する釣合い重りを有している。一般には、ローピングにより、前記籠を釣合い重りに連結している。駆動用モータは、駆動用綱車を回転させてロープを移動し、もって、昇降路内での、エレベータ籠の要求通りの移動を行なっている。
【０００３】
従来、エレベータシステムでは、駆動用モータ、駆動用綱車、及び、他の運転制御用の構成部品を収納するための機械室が必要とされていた。かかる構成部品は、一般的には、集合的に「機械」と呼ばれており、「機械室」と呼ぶことの基礎となっている。この機械室は、多くの場合、建物の頂部に位置していた。このような機械室を利用することは、有効ではあるが、不具合を伴わないものでもない。建物の構造は、これら機械室と構成部品とをその内部に収め、かつ、支えるように、特に配置されなければならない。ある場合には、屋上面で機械室を適切に支えるため、特別の建築上の配慮が必要とされることもある。
【発明の開示】
【発明が解決しようとする課題】
【０００４】
機械室は、付加的な材料費やその他の建設上の問題点をも設計者にもたらし、かつ、建物の建築途中においてももたらすこととなる。
【０００５】
より最近では、機械室を取り除き、それに代えて、別な方法で、エレベータシステムの駆動及び制御部品を収納することが提案されている。この点に関しては、種々のアプローチが既に提案されている。本発明は、エレベータシステムの機械室を取り除くことが望ましいという点において、他に類を見ない、コンパクトで、かつ、コストの上でも効率的な解決策を提供するものである。
【課題を解決するための手段】
【０００６】
一般的な用語によれば、本発明は、保守や部品交換のために必要とされる時に開くことができ、又は、取り除くことができる、取外し可能なカバーの下に、エレベータシステムの機械部品を収納する天井ユニットに関する。この屋上ユニットは、屋上ユニットを収容するための特別な構造を必要とすることなく、建物の屋根面の頂上に位置している。
【０００７】
本発明によって設計された一例になる組立体は、屋根表面に固定されるように適合された支持ベースを有している。この支持ベースは、エレベータシステムの機械部品の少なくとも幾つかを支持している。この支持ベースは、開口を有しており、この開口部を介して、例えば、ロープなど、エレベータシステムの選択された部分が延びており、エレベータシステムが要求通りの動作を達成している。カバーは、ベース上に支持された機械部品を覆うように、取外し可能に支持ベースに対して固定されている。
【０００８】
本発明によって設計された一例であるカバーは、当該カバーを貫通して延びる少なくとも１個のアクセス用のパネルを有している。このカバーの一部は、アクセス用の開口部を開閉するために、当該カバーの残りの部分に対して選択的に移動可能となっている。一例では、カバーの半分まで、手動で移動することができ、機械部品に近づくことが出来る。
【０００９】
カバーと支持ベースとは、自然環境がカバーの下の空間内に入り込んでくるのを防止するように、好ましくは、水密シール構造となっており、機械部品を保護すると共に、自然環境がベースの開口部を通って昇降路内に入り込むことから防止している。
【００１０】
一例では、このカバーは完全に取外し可能となっている。このカバーは、好ましくは、往々にして完全に取り外されることとなるが、しかしながら、本発明では、その選択は可能である。
【００１１】
本発明の種々の特徴や利点は、当業者にとって、好適な実施の形態についての以下の詳細な記載から明らかとなろう。
【発明を実施するための最良の形態】
【００１２】
エレベータシステム２０の概略が、図１に図示されている。このシステム２０は、荷重を建物２８の異なる階床つまり乗り場２６の間で運ぶように昇降路２４内で選択的に移動可能なエレベータ籠２２を有している。昇降路２４内における籠の支持構造について、その選択された部分だけが概略的に図示されており、そして、一つの踊り場２６だけが示されているが、当業者であれば、エレベータシステムが建物内における複数の階床又は乗り場に着床することが可能であることは当然であろう。
【００１３】
建物２８は、屋根面３０を有している。図示の例では、屋根面の大部分よりもわずかに上方に延びた昇降路頂上部分３２を含んでいる。本発明を、昇降路頂上部分３２が屋根面３０より高くない場合においても適用が可能であるという状況もあろう。
【００１４】
屋上ユニット３４は、昇降路の頂上部分３２に固定されている。図示の例の屋上ユニット３４は、支持ベース３６とカバー３８とを含んでいる。この支持ベース３６は、好ましくは、屋上３０又は昇降路の頂上部分３２に永久固定されている。ある一例では、ベース３６は、昇降路の上方に水平に配置された少なくとも２本の梁の組を備えている。屋上３０と昇降路頂上部分３２は、この明細書では、一般的に、「屋根面」と呼ぶ。
【００１５】
カバー３８は、好ましくは、屋上又は支持ベース３６に永久固定されていない。代わりに、カバー３８は、支持ベース３６によって支持されている部品にアクセスする（近づく）ことが出来るように、支持ベースから取外し可能となっていることが好ましい。ある一例では、このカバー３８全体を取り外すために、クレーン又は他の同様な機械が必要とされる。他の例では、カバーの一部分だけが取外し可能となっている。
【００１６】
このカバー３８は、カバーと支持ベース３６との間に閉じた境界面３９を形成するように受容されていることが好ましい。例示の固定構造では、カバーをベースに固定するボルトのような固定具を含んでいる。一例では、境界面３９においては、個別の封止部材又は材料を何等、必要としない。
【００１７】
他の例では、屋根面は、当該屋根面の一部として形成された縁部を含んでいる。この縁部は、機械部品を自然環境から保護するようにカバー３８を収容するため、支持ベース３６の端部として機能している。
【００１８】
図１に図示された例は、カバー３８の一方の面を貫通するアクセス用開口部４０を含んでいる。この図示の例では、前記カバー３８の一部を選択的に移動して、もって、前記アクセス用開口部４０を介して屋上ユニット３４の内部にアクセスすることを可能とするため、蝶番された支持部４２を含んでいる。図１には、一つのアクセス用開口部が示されているが、かかる開口部を複数設け、そして、かかる開口部を選択的に被うために種々の部品を設けることも、本発明の範囲内である。
【００１９】
図２から最も良く分かるように、好ましくは、支持ベース３６は、昇降路２４内でエレベータ籠２２が要求されるように移動するために、原動力を供給する機械組立体４４を支持している。好ましくは、この機械組立体４４は、モータやその他の部品を収納するための機械室全体を必要とする従来の機械組立体に比較して、非常にコンパクトである。この図示の例では、モータ４８、好ましくは電動モータの動作を制御するモータ制御装置４６を含んでいる。駆動綱車５０は、モータ４８の動きに応答して回転し、駆動綱車５０を介して複数本のベルト（即ち、ローピング）５２を移動し、もって、籠２２は要求されるように移動する。複数本のベルトの終端部５４は、好ましくは、屋上ユニット３４の内部で支持されている。
【００２０】
加えて、有利には、屋上ユニット３４の内部には、例えば、ファン又はヒータのような、温度制御装置５６が支持される。
【００２１】
支持ベース３６及びカバー３８は、共に、建物の屋根の表面上に支持されている機械組立体４４の部品を完全に収容するためのハウジングを形成している。支持ベース３６を貫通する開口部（図では見えない）により、ローピング５２が昇降路の内部を下方に向かって延びており、それ故、適切なエレベータシステムの動作が生じる。
【００２２】
一例では、昇降路頂上部３２の屋根面の上方における屋上ユニット３４の全高さは、１メートル未満である。一例では、カバー３８の頂上部は、頂上部３２の屋根面から上方に、たった７７センチメートル（２フィート７インチ）程度である。組立体３４の全体の寸法は、従来の屋根面上に支持されている機械室に比較して、十分に低減されている。
【００２３】
カバー又は支持ベース、あるいは、これら両者を作成するため、種々の材料を利用することができる。例えば、ステンレススチール、アルミニウム、グラスファイバー、プラスチック、が含まれる。選択される材料は、建物の位置における予想される環境条件に耐えなければならない。この記載の恩恵を受ける者は、どの材料が特別の状況での特定のニーズを満たしているかを理解し、そして、そのような状況に最も適した材料を選択することが可能となろう。
【００２４】
図３に最も良く示されるように、図示の例における支持ベース３６は、概ね平面状の基板面６０を含んでいる。複数の側部６２が、平坦な面６０から離れて（屋上に対して）上方へ延びている。側部６２の高さは、好ましくは、建物が位置している地域における典型的な降雨量を基にして選択される。もしも予想されるのであれば、適切な機械部品の保護を確実にするために、雪にもまた順応しなかればならない。地方の建築法が、側部６２の高さの要求を規定することもある。一例では、この高さは２００ｍｍである。
【００２５】
カバー３８は、頂上部６４と、頂上部から離れて延びる複数の側壁６６とを含んでいる。図示の例では、カバー３８の側壁６６は、支持ベース３６の側部６２によって形成される空間内に収容されている。側壁６６と側部６２とを、その間の境界で適切に嵌め込むことによって、自然環境（即ち、雨や雪）はカバー３８で保護された空間内に入り込まず、支持ベース３６によって支持されている機械部品は、要求されるように、環境から隔離状態に保たれる。
【００２６】
図３の例では、カバー３８の部分に蝶番結合７０を含んでいる。この例では、（図面における）前方側が、手動により、蝶番結合を中心に持ち上げることができ、開口部４０を通したアクセスよりもさらに奥にアクセスすることができる。
【００２７】
本発明の顕著な利点は、特異でコンパクトな部品の配置によって提供される空間の節約である。他の顕著な利点は、選択的に取外し可能なカバー３８を備えることにより、必要に応じて、個人が、据付、保守又は部品交換のために屋上ユニット３４内の部品に容易にアクセスすることができることである。
【００２８】
上記の記載は、その性質上、権利を限定するものではなく、むしろ例示のためである。開示された実施例に対する変形例や変更は、必ずしも本発明の本質から逸脱することなく、当業者にとっては明らかであろう。本発明に与えられる法的な保護の範囲は、以下の請求項によってのみ決定されることが出来る。
【図面の簡単な説明】
【００２９】
【図１】本発明により設計された実施の一例であるエレベータシステムの概要を示す図である。
【図２】本発明の実施例によって設計された組立体の一例を一部展開して示す図である。
【図３】他の一例になるカバーの概略を示す図である。
【図１】
2006517501.tif 000003
【図２】
2006517501.tif 000004
【図３】
2006517501.tif 000005
【手続補正書】
【提出日】平成16年2月17日(2004.2.17)
【手続補正１】
【補正対象書類名】明細書
【補正対象項目名】０００５
【補正方法】変更
【補正の内容】
【０００５】
より最近では、機械室を取り除き、それに代えて、別な方法で、エレベータシステムの駆動及び制御部品を収納することが提案されている。この点に関しては、種々のアプローチが既に提案されている。その一つが日本国特許公開公報２０００−１７７９４９に示されており、ここでは、巻き上げ機を覆う固定されたカバーが、建物の屋上から開いたり閉じたりできるようになっている。
本発明は、エレベータシステムの機械室を取り除くことが望ましいという点において、他に類を見ない、コンパクトで、かつ、コストの上でも効率的な解決策を提供するものである。
【手続補正２】
【補正対象書類名】特許請求の範囲
【補正対象項目名】全文
【補正方法】変更
【補正の内容】
【特許請求の範囲】
【請求項１】
建物の異なる階床間で荷重を運ぶように適合された籠；
前記建物の屋根面に固定されており、前記籠が要求された通りに移動するために、少なくとも１本の長い張力部材を移動させる駆動綱車と、前記駆動綱車を動かすモータとを備えた機械組立体；そして、
前記機械組立体を覆って取外し可能に固定された、前記機械組立体を覆うためのカバーを備えたことを特徴とするエレベータシステム。
【請求項２】
前記請求項１に記載したシステムは、さらに、前記機械組立体を支持するための前記屋根面に固定された支持ベースを含んでおり、前記カバーは、前記支持ベースから選択的に取外し可能であることを特徴とするエレベータシステム。
【請求項３】
前記請求項１に記載したシステムは、さらに、前記カバーの下方に支持された前記モータを制御する電子制御部を備えていることを特徴とするエレベータシステム。
【請求項４】
前記請求項１に記載したシステムにおいて、前記カバーは、前記カバーを貫通するアクセス用開口部と、前記開口部を選択的に閉止するカバー部を備えていることを特徴とするエレベータシステム。
【請求項５】
前記請求項１に記載したシステムにおいて、前記カバーは、前記機械組立体の少なくとも幾つかに接近することができるように、前記カバーの他の部分に対して相対的に移動可能な部分を有していることを特徴とするエレベータシステム。
【請求項６】
前記請求項１に記載したシステムにおいて、前記カバーは、頂上面と、前記頂上面の端から離れて延びた、１メートル未満の複数の側壁を有しており、もって、前記屋根面からの前記カバーの高さが、前記カバーが所定の場所に固定されたときに１メートル未満になることを特徴とするエレベータシステム。
【請求項７】
前記請求項１に記載したシステムは、さらに、前記機械組立体と関連して、前記カバーによって覆われた前記空間の内部の温度を制御するための制御装置を有していることを特徴とするエレベータシステム。
【請求項８】
前記請求項２に記載したシステムにおいて、前記支持ベースは、第１の略平面状の表面および該表面から離れて延びた複数の側部を有しており、そして、前記カバーは、前記カバーが前記支持ベースに固定された時にその側部に対向して受容される、対応する複数の側壁を備えていることを特徴とするエレベータシステム。
【請求項９】
前記請求項８に記載したシステムにおいて、前記側部は、前記カバーが前記支持ベースに固定されたとき、前記側壁に対して外側になることを特徴とするエレベータシステム。
【請求項１０】
前記請求項１に記載したシステムにおいて、前記長い張力部材は、平坦なベルトからなることを特徴とするエレベータシステム。
【請求項１１】
前記請求項１０に記載したシステムにおいて、複数の平坦なベルトを含むとともに、このベルトの少なくとも一方の端部を支持する複数の終端部を含み、この終端部が前記カバーにより覆われていることを特徴とするエレベータシステム。
【請求項１２】
前記請求項１に記載したシステムにおいて、前記張力部材の少なくとも一方の端部を支持する終端部を含み、この終端部が前記カバーにより覆われていることを特徴とするエレベータシステム。
【請求項１３】
前記請求項１２に記載したシステムにおいて、複数の張力部材および複数の終端部が存在し、各終端部が前記カバーにより覆われていることを特徴とするエレベータシステム。
【請求項１４】
前記請求項１３に記載したシステムにおいて、前記カバーは１メートル未満の高さを有することを特徴とするエレベータシステム。
【請求項１５】
エレベータシステムの機械部品を、機械室を必要とすることなく、建物の屋根面の頂上に収容する組立体であって：
前記屋根面に固定されるように適合され、前記機械部品の少なくとも幾つかを支持するための支持ベースと；そして、
前記ベースの上に支持された機械部品を覆うように、前記支持ベースに選択的に固定されるカバーと
を備えていることを特徴とする組立体。
【請求項１６】
前記請求項１５に記載した組立体であって、前記カバーは、当該カバーを貫通するアクセス用開口部と、前記アクセス用開口部を選択的に閉止するカバー部とを備えていることを特徴とする組立体。
【請求項１７】
前記請求項１５に記載した組立体であって、前記カバーは、頂上面と、前記頂上面の端部から離れて１メートル未満だけ延びた複数の側壁とを備えており、もって、前記カバーが前記支持ベースに固定されたときに、前記頂上面からの前記カバーの高さが１メートル未満となることを特徴とする組立体。
【請求項１８】
前記請求項１５に記載した組立体は、さらに、前記カバーによって覆われた空間内部の温度を制御するため、前記支持ベースと関連した温度制御装置を備えていることを特徴とする組立体。
【請求項１９】
前記請求項１５に記載した組立体において、前記支持ベースは、略平面状の第１の表面および該表面から離れて延びた複数の側部を有しており、そして、前記カバーは、前記カバーが前記支持ベースに固定されたときに前記側部に対向して受容される、対応する複数の側壁を備えていることを特徴とする組立体。
【請求項２０】
前記請求項１９に記載した組立体において、前記側部は、前記カバーが前記支持ベースに固定されたときに、前記側壁に対して外側となることを特徴とする組立体。
【請求項２１】
前記請求項１５に記載した組立体において、前記カバー全体が取外し可能であることを特徴とする組立体。
【請求項２２】
前記請求項１５に記載した組立体において、前記機械が、モータと、該モータに連動して回転し、エレベータ籠の所望の動作を生じるように少なくとも一つの張力部材を動かす駆動綱車と、を有することを特徴とする組立体。
【請求項２３】
前記請求項２２に記載した組立体において、前記張力部材の少なくとも一方の端部を支持する少なくとも一つの終端部を含み、前記終端部は、少なくとも部分的に前記支持ベースと前記カバーとの間に囲まれていることを特徴とする組立体。
【請求項２４】
前記請求項２２に記載した組立体において、前記張力部材は少なくとも一つの平坦なベルトからなることを特徴とする組立体。
【請求項２５】
前記請求項１５に記載した組立体において、前記カバーは１メートル未満の高さを有することを特徴とする組立体。
【国際調査報告】
2006517501.tif 000006